(57)【特許請求の範囲】
【請求項１】
地中構造物の枠体と、この枠体に開閉可能に取付けられた蓋体と、この蓋体に回転可能に設置されたカム部材とを備え、前記枠体の内側面に棚部を設けるとともに前記カム部材の下面にカム面を設け、このカム面に切り欠きを設け、前記カム部材を回転させることによって前記カム面を前記棚部との間でカム運動させながら前記蓋体を前記枠体に対して持ち上げる地中構造物の蓋体持ち上げ装置において、前記切り欠きは、前記カム面が前記棚部に最初に接する箇所に設けられ、前記カム面の回転方向の上方に傾斜しているとともに前記カム部材の回転軸の外周から放射方向の上方に傾斜していることを特徴とする地中構造物の蓋体持ち上げ装置。
【請求項２】
前記切り欠きの稜線が、前記カム部材の回転軸の外周の接線に沿って形成されていることを特徴とする請求項１の地中構造物の蓋体持ち上げ装置。
【請求項３】
前記棚部の先端部を下方に斜面状に切り欠いたことを特徴とする請求項１又は請求項２の地中構造物の蓋体持ち上げ装置。
【請求項４】
前記棚部をロック係止部としたことを特徴とする請求項１，請求項２又は請求項３の地中構造物の蓋体持ち上げ装置。
【発明の詳細な説明】
【０００１】
【発明の属する技術分野】
この発明は地中構造物の蓋体持ち上げ装置に関し、例えば、マンホール、ＣＣボックス等の蓋体を開放する際に使用されるものである。
【０００２】
【従来の技術】
従来におけるこの種の蓋体持ち上げ装置は、蓋体にカム部材を回転可能に設けたものであり、枠体に嵌挿された状態で前記カム部材を回転させることによりそのカム面を前記枠体の棚部との間でカム運動させながら前記蓋体を前記枠体に対して持ち上げ、工具等を介して当該蓋体を開放していた。
【０００３】
【発明が解決しようとする課題】
しかしながら、かかる従来の地中構造物の蓋体持ち上げ装置にあっては、前記カム部材におけるカム面の斜面角度が一定であったため、前記枠体の棚部がカム部材のカム面に噛み合いやすくするためには、前記斜面角度を急角度にしなければならず、この結果、前記カム面と前記棚部とのカム運動が滑らかに進みにくく、よって、地中構造物の蓋体持ち上げ作業が能率良く行うことができないという不都合を有した。
【０００４】
この発明の課題は前記不都合を解消し、カム部材を短い回転ストロ−クで簡易に操作できる地中構造物の蓋体持ち上げ装置を提供することである。
【０００５】
【課題を解決するための手段】
この課題を達成するために、この発明に係る地中構造物の蓋体持ち上げ装置においては、  地中構造物の枠体と、この枠体に開閉可能に取付けられた蓋体と、この蓋体に回転可能に設置されたカム部材とを備え、前記枠体の内側面に棚部を設けるとともに前記カム部材の下面にカム面を設け、このカム面に切り欠きを設け、前記カム部材を回転させることによって前記カム面を前記棚部との間でカム運動させながら前記蓋体を前記枠体に対して持ち上げる地中構造物の蓋体持ち上げ装置において、前記切り欠きは、前記カム面が前記棚部に最初に接する箇所に設けられ、前記カム面の回転方向の上方に傾斜しているとともに前記カム部材の回転軸の外周から放射方向の上方に傾斜しているため、前記カム面の全体の斜面角度を急角度にしなくても前記切り欠きを介して前記棚部に乗り上げ易く、この棚部が前記カム部材のカム面に噛み合いやすいものである。
【０００６】
この場合、  前記切り欠きの稜線が、前記カム部材の回転軸の外周の接線に沿って形成することもできる。
【０００７】
なお、前記棚部の先端部を下方に斜面状に切り欠けば、前記カム部材の切り欠いた補助斜面が、更に、この棚部に乗り上げ易いため、前記カム運動は、より一層、開始が容易になる。
【０００８】
また、前記棚部をロック係止部とすれば、前記棚部を別途に設ける必要が無い為全体構造が簡単になり、この結果、維持管理がしやすいものである。
【０００９】
【発明の実施の形態】
図１はこの発明に係る地中構造物の蓋体持ち上げ装置の断面図、図２は図１におけるII矢視図、図３は図２におけるIII-III 線断面図、図４は図３におけるカム面IV-IV の勾配を示したグラフである。
【００１０】
図１において、10はマンホール（この発明の「地中構造物」に相当する）Ｍの筒状枠体であり、11はそのロック係止部（この発明の「棚部」に相当する）であり、前記筒状枠体10の内周面にフランジ状に一体形成されている。111 は切り欠きであり、前記ロック係止部11の先端部に斜面状に形成されている。このロック係止部11の機能は後記する。また、20は同蓋体であり、前記筒状枠体10に内嵌めされている。前記筒状枠体10および前記蓋体20はいずれも鋳造製である。
【００１１】
次に、21は軸孔であり、前記蓋体20の周縁部に形成されている。また、23は大径部であり、前記軸孔21の上端側に形成されている。31はシャフト部材であり、前記軸孔21にブッシュ32を介して回転可能な状態で内嵌めされている。このとき、前記シャフト部材31の頭部は前記大径部23に収容される。
【００１２】
50はロック部材であり、その軸孔51に前記シャフト部材31が回転不可能の状態で嵌挿し、ナット部材70によって螺子止め固定されている。52はロック突起であり、前記ロック部材50の下端に一体的に突設されている。前記ロック部材50が回転して、このロック突起52が前記筒状枠体10における前記ロック係止部11の下方に停止したときに、前記蓋体20の閉止状態がロックされる。
【００１３】
次に、60はカム部材であり、前記ロック部材50の上端に一体的に突設されている。61はカム面であり、このカム部材60の下面に形成されている。このカム面61は、前記ロック部材50の回転にともなって、前記ロック係止部11の先端上部との間でカム運動し、前記蓋体20を前記筒状枠体10に対して持ち上げる。この場合、前記ロック係止部11の先端部に斜面状に切り欠き111 が設けられているため、前記カム部材60のカム面61はこのロック係止部11に乗り上げ易いため、前記カム運動は開始が容易になる。
【００１４】
また、62は補助斜面（「切り欠き」に相当する）であり、前記カム面61の先端部（図４を参照のこと）の周端縁を斜面状に切り欠くことによって形成されている。この補助斜面62は前記カム面61が前記ロック係止部（棚部）11に最初に接する箇所に設けられ、前記カム面61の回転方向の上方に傾斜しているとともに前記カム部材60の回転軸の外周から放射方向の上方に傾斜している。  このようにカム面61の先端（回転先端方向）に補助斜面62を設けると、カム部材60が回転した際に、前記筒状枠体10における前記ロック係止部11の先端上部が、この補助斜面62に噛み合いやすく、ひいては、カム面61に入りやすいものである。
【００１５】
なお、7１はゴムキャップであり、前記シャフト部材31の頭部に弾性的に外嵌めされている。このゴムキャップ7１は前記軸孔21の大径部23に収容されている。
また、80は蓋体20の裏面に一体突出形成された補強用リブである。
【００１６】
【発明の効果】
この発明に係る地中構造物の蓋体持ち上げ装置は、地中構造物の枠体と、この枠体に開閉可能に取付けられた蓋体と、この蓋体に回転可能に設置されたカム部材とを備え、前記枠体の内側面に棚部を設けるとともに前記カム部材の下面にカム面を設け、このカム面に切り欠きを設け、前記カム部材を回転させることによって前記カム面を前記棚部との間でカム運動させながら前記蓋体を前記枠体に対して持ち上げる地中構造物の蓋体持ち上げ装置において、前記切り欠きは、前記カム面が前記棚部に最初に接する箇所に設けられ、前記カム面の回転方向の上方に傾斜しているとともに前記カム部材の回転軸の外周から放射方向の上方に傾斜しているため、前記カム面の全体の斜面角度を急角度にしなくても前記切り欠きを介して前記棚部に乗り上げ易く、この棚部が前記カム部材のカム面に噛み合いやすいものである。
【００１７】
よって、この地中構造物の蓋体持ち上げ装置を使用すれば、前記枠体の棚部が前記カム部材のカム面に噛み合いやすい状態で、前記カム面と前記棚部とのカム運動が滑らかに進み、よって、地中構造物の蓋体持ち上げ作業が能率良く行うことができる。
【００１８】
この場合、  前記切り欠きの稜線を、前記カム部材の回転軸の外周の接線に沿って形成することもできる。
【００１９】
なお、前記棚部の先端部を下方に斜面状に切り欠けば、前記カム部材の切り欠いた補助斜面が、更に、この棚部に乗り上げ易いため、前記カム運動は、より一層、開始が容易になる。
【００２０】
また、前記棚部をロック係止部とすれば、前記棚部を別途に設ける必要が無い為全体構造が簡単になり、この結果、維持管理がしやすいものである。
【図面の簡単な説明】
【図１】  図１はこの発明に係る地中構造物の蓋体持ち上げ装置の断面図である。
【図２】  図２は図１におけるII矢視図である。
【図３】  図３は図２におけるIII-III 線断面図である。
【図４】  図４は図３におけるカム面IV-IV の勾配を示したグラフである。
【符号の説明】
Ｍ  …  マンホール（地中構造物）
10  …  筒状枠体（枠体）
11  …  ロック係止部（棚部）
111 …  切り欠き（ロック係止部11の）
20  …  蓋体
60  …  カム部材
61  …  カム面
62  …  補助斜面（カム面の切り欠き）
【図１】
0004817211.tif 000002
【図２】
0004817211.tif 000003
【図３】
0004817211.tif 000004
【図４】
0004817211.tif 000005